(57)【要約】【課題】  鉛や格別の部品を用いることなく、白鍵および黒鍵のいずれにも、重りを着脱自在に取り付けることができ、所要のタッチ重さを容易かつ安価に得ることができる鍵盤楽器の鍵を提供する。【解決手段】  本発明の鍵盤楽器の鍵１は、前後方向に延びる長溝２ａが形成された揺動自在の鍵本体２と、鍵本体２の長溝２ａに挿入された重り１０と、圧縮された状態で重り１０とともに長溝２ａに挿入され、ばね力によって重り１０を長溝２ａ内に保持するコイルばね１１と、を備える。【選択図】  図２
2007232781.tif 000002
【特許請求の範囲】
【請求項１】
前後方向に延びる長溝が形成された揺動自在の鍵本体と、
当該鍵本体の前記長溝に挿入された重りと、
圧縮された状態で前記重りとともに前記長溝に挿入され、ばね力によって前記重りを前記長溝内に保持するコイルばねと、
を備えることを特徴とする鍵盤楽器の鍵。
【請求項２】
前記長溝は、前記鍵本体の左右の側面間を貫通するように形成されていることを特徴とする、請求項１に記載の鍵盤楽器の鍵。
【請求項３】
前記重りは、重さが互いに異なる複数種類の重りの１つで構成されていることを特徴とする、請求項１または２に記載の鍵盤楽器の鍵。
【請求項４】
前記複数種類の重りは互いに異なる長さを有し、前記コイルばねは、前記複数種類の重りをそれぞれ前記長溝内に取付可能な、互いに異なる長さを有する複数種類のコイルばねで構成されていることを特徴とする、請求項３に記載の鍵盤楽器の鍵。
【発明の詳細な説明】
【技術分野】
【０００１】
本発明は、ピアノなどの鍵盤楽器の鍵に関し、特にタッチ重さを調整するための重りを備えた鍵に関する。
【背景技術】
【０００２】
例えばグランドピアノの鍵は一般に、前後方向に延びる木製の鍵本体と、鍵本体に取り付けられた鍵カバーと、鍵本体に取り付けられた重りなどを備えている。鍵本体は、その中央においてバランスピンに揺動自在に支持されており、鍵本体のバランスピンよりも後ろ側には、アクションが載置されている。鍵カバーは、合成樹脂の成形品で構成されており、鍵本体の上面の前部に接着されている。
【０００３】
グランドピアノの場合、重りは、アクションの重さに対抗する重さを鍵に付与するとともに、所要のタッチ重さ（静荷重）を得るために、鍵本体のバランスピンよりも前側に取り付けられる。従来一般に、重りは、円柱状の鉛で構成されており、鍵本体に形成された埋設孔に挿入し、かしめることによって、鍵本体に取り付けられている。重りの材料として鉛が用いられるのは、鉛は、比重が高く、安価であるとともに、柔軟性および延性に富み、かしめによる取付に適しているためである。
【０００４】
しかし、鉛は、有害物質であるため、できるだけ使用しないことが望ましい。また、上記のように重りをかしめによって取り付けた場合には、その取付後、タッチ重さの調整が必要になったときに、重りの側面を切削したり、鍵本体に埋設孔を新たに形成し、重りを追加したりすることなどによって対応せざるを得ないため、タッチ重さの調整に非常に手間がかかる。
【０００５】
このような不具合を解消する従来の鍵盤楽器の鍵として、例えば特許文献１に開示されたものが知られている。この特許文献１は黒鍵に関するものであり、この黒鍵では、黒鍵カバーの中空部に、重りが回転不能にかつ前後方向に移動可能に収容されている。重りは、鉛以外の比重の大きな金属、例えばタングステン、鉄や、これらの金属と合成樹脂との複合材料などで構成され、ブロック状に形成されている。重りには前後方向に貫通するねじ孔が形成されており、このねじ孔に調整ねじが螺合し、重りの前後両側に突出している。調整ねじの前端部は、黒鍵カバーの前壁の内面に係合し、後端部は、黒鍵カバーの背壁に形成された孔に回転自在に係合しており、後端面には、回転操作用のマイナス溝が形成されている。
【０００６】
この構成では、外部からマイナス溝を介して調整ねじを回転させると、調整ねじは移動せず、重りが前後方向に移動するので、その移動位置に応じて、タッチ重さを無段階に精度良く調整することができる。
【０００７】
しかし、この従来の黒鍵では、黒鍵カバーに収容可能なサイズおよび形状を有するとともに、ねじ孔をあらかじめ形成したブロック状の重りを特別に作製することが必要であるため、製造コストが上昇するという問題がある。また、この重りの取付方法は、黒鍵カバーに通常、形成される中空部を利用して、重りを収容するものであるため、そのような中空部が存在しない白鍵には適用できない。
【０００８】
本発明は、このような課題を解決するためになされたものであり、鉛や格別の部品を用いることなく、白鍵および黒鍵のいずれにも、重りを着脱自在に取り付けることができ、それにより、所要のタッチ重さを容易かつ安価に得ることができる鍵盤楽器の鍵を提供することを目的としている。
【０００９】
【特許文献１】特開２００１−２１５９４９号公報
【発明の開示】
【課題を解決するための手段】
【００１０】
この目的を達成するため、本発明の鍵盤楽器の鍵は、前後方向に延びる長溝が形成された揺動自在の鍵本体と、鍵本体の長溝に挿入された重りと、圧縮された状態で重りとともに長溝に挿入され、ばね力によって重りを長溝内に保持するコイルばねと、を備えることを特徴とする。
【００１１】
この鍵盤楽器の鍵では、鍵本体に前後方向に延びる長溝が形成されており、重りは、それと一緒に挿入されたコイルばねのばね力によって、長溝内に保持されている。このように、重りを、コイルばねとともに鍵本体の長溝に挿入し、コイルばねのばね力で長溝内に保持するので、重りを鍵本体にしっかりと固定できるとともに、重りの取付および取外しを容易に行うことができる。また、重りが鍵本体に対して着脱自在であるので、重りを適宜、交換することによって、所要のタッチ重さを得ることができる。さらに、重りを鍵本体に形成した長溝に収容するので、白鍵および黒鍵のいずれにも、重りを取り付けることができる。
【００１２】
また、重りを長溝への挿入によって取り付けるので、従来のかしめによる場合と異なり、重りに柔軟性や延性は要求されず、したがって、重りの材料として鉛以外の材料を広く採用することが可能になる。さらに、重りは、長溝に挿入可能で、コイルばねで保持できるような単純な形状のものでよいので、これを特別に作製する必要がなく、それにより、製造コストを削減することができる。
【００１３】
請求項２に係る発明は、請求項１に記載の鍵盤楽器の鍵において、長溝は、鍵本体の左右の側面間を貫通するように形成されていることを特徴とする。
【００１４】
この構成では、長溝が鍵本体の側面間に貫通するように形成され、長溝の底面が塞がれているので、押鍵時の衝撃などによって重りが下方にずれたり脱落したりするおそれがなく、重りを長溝内に安定して保持することができる。また、長溝が鍵本体の両側面に開放するように形成されるので、その加工が容易であるとともに、鍵本体の左右のいずれの側からも長溝にアクセスでき、それにより、重りの着脱を容易に行うことができる。
【００１５】
請求項３に係る発明は、請求項１または２に記載の鍵盤楽器の鍵において、重りは、重さが互いに異なる複数種類の重りの１つで構成されていることを特徴とする。
【００１６】
この構成では、重さが互いに異なる複数種類の重りの中から、適当な重さを有するものを選択し、鍵本体に取り付けるとともに、必要に応じて、他の種類の重りと交換することによって、所要のタッチ重さを容易に得ることができる。
【００１７】
請求項４に係る発明は、請求項３に記載の鍵盤楽器の鍵において、複数種類の重りは互いに異なる長さを有し、コイルばねは、複数種類の重りをそれぞれ長溝内に取付可能な、互いに異なる長さを有する複数種類のコイルばねで構成されていることを特徴とする。
【００１８】
この構成では、複数種類の重りは、長さが互いに異なることで、異なる重さに設定されており、それぞれの重りに対応する異なる長さのコイルばねによって、長溝に取り付けられる。このように、長さの異なる重りを、それに対応するコイルばねを用いて、同一の長溝に取り付けることができ、したがって、タッチ重さの調整を容易に行うことができる。
【発明を実施するための最良の形態】
【００１９】
以下、本発明の好ましい実施形態を、図面を参照しながら説明する。図１は、本発明を適用したグランドピアノの鍵（黒鍵）を示している。同図に示すように、この黒鍵１は、鍵本体２と、鍵本体２の上面の前部に取り付けられた黒鍵カバー３などを備えている。
【００２０】
鍵本体２は、スプルスなどの比較的軽量で、粘り強く、弾力性に富む木質材で構成され、矩形の断面を有し、前後方向に延びている。鍵本体２の前部には、後述する重り１０を取り付けるための長孔２ａ（長溝）が形成されている。図２に示すように、この長孔２ａは、鍵本体２の左右の側面２ｂ、２ｂ間を貫通するとともに、所定の長さおよび高さを有し、前後方向に延びている。
【００２１】
鍵本体２の上面の中央には中座板４が接着され、これらを上下方向に貫通するようにバランスピン孔５が形成されている。そして、このバランスピン孔５が、立設するバランスピン（図示せず）に係合することによって、黒鍵１が揺動自在に支持される。
【００２２】
また、鍵本体２の上面のバランスピン孔５よりも後ろ側には、キャプスタン座板６を介して、キャプスタンスクリュー７が取り付けられており、このキャプスタンスクリュー７にアクション（図示せず）が載置される。
【００２３】
以上の構成では、黒鍵１の前部を押す（押鍵する）と、黒鍵１がバランスピンを中心として揺動するとともに、アクションがキャプスタンスクリュー７で突き上げられることによって作動する。また、黒鍵１のタッチ重さは、アクションと黒鍵１の重さによるバランスピン回りのモーメントのバランスによって定められる。
【００２４】
黒鍵カバー３は、黒色のフェノールやＡＢＳなどの合成樹脂の成形品によって、一体に形成されている。黒鍵カバー３は、左右の側壁３ａ（１つのみ図示）、前壁３ｂ、背壁３ｃおよび上壁３ｄで構成され、下面が開放した中空状に形成されている。
【００２５】
図２に示すように、鍵本体２の長孔２ａには、重り１０がコイルばね１１によって取り付けられている。この重り１０は、アクションの重さに対抗する重さを黒鍵１に付与するとともに、所要のタッチ重さ（静荷重）を得るために設けられるものである。重り１０は、例えば鋼製のものであり、図３に示すように、所定の一定の径を有する細長い円柱状に形成されている。重り１０の一端側の外周部には、コイルばね１１を嵌めやすくするために、Ｒが付けられている。
【００２６】
コイルばね１１は、例えば鋼製のものであり、重り１０の径とほぼ同じ内径を有している。コイルばね１１は、重り１０の一端部にきつく嵌められるとともに、圧縮された状態で、重り１０とともに長孔２ａに挿入される。これにより、図２に示すように、コイルばね１１が長孔２ａの前縁に係合するとともに、重り１０は、コイルばね１１のばね力により長孔２ａの後縁に圧接された状態で、長孔２ａ内に保持され、固定される。また、重り１０の取付後、コイルばね１１を圧縮させながら重り１０を長孔２ａから取り出すことにより、重り１０を容易に取り外すことができる。
【００２７】
図４に示すように、重り１０は３種類の重り１０Ａ〜１０Ｃで構成され、コイルばね１１は、重り１０Ａ〜１０Ｃとそれぞれ組み合わせて用いられる３種類のコイルばね１１Ａ〜１１Ｃで構成されている。重り１０Ａ〜１０Ｃは、この順に長さが大きく、材質および径は互いに同じであり、したがって、互いに異なる所定の重さを有している。逆に、コイルばね１１Ａ〜１１Ｃはこの順に長さが小さく、それにより、それぞれの組の重り１０とコイルばね１１との長さの和は、互いにほぼ等しくなるように設定されている。したがって、重り１０Ａ〜１０Ｃの各々を、それと組をなすコイルばね１１Ａ〜１１Ｃを用いて、長孔２ａに取り付けることが可能である。
【００２８】
黒鍵１のタッチ重さの調整は、例えば、次のようにして行われる。すなわち、重り１０Ａ〜１０Ｃから選択した１つの重り１０を鍵本体２の長孔２ａに取り付けた後、黒鍵１のバランスピン孔５をバランスピンに係合させ、黒鍵１をセットするとともに、黒鍵１にアクションを載置した状態で、タッチ重さを測定する。測定したタッチ重さが所要値と異なる場合には、黒鍵１をバランスピンから取り外した後、重り１０を取り外し、他の重さの重り１０を長孔２ａに取り付け、交換する。そして、タッチ重さを再度、測定し、所要のタッチ重さが得られたことを確認して、タッチ重さの調整作業を終了する。
【００２９】
以上のように、本実施形態の黒鍵１によれば、重り１０を、コイルばね１１とともに鍵本体２の長孔２ａに挿入し、コイルばね１１のばね力で保持するので、重り１０を鍵本体２にしっかりと固定できるとともに、重り１０の取付および取外しを容易に行うことができる。また、重り１０が鍵本体２に対して着脱自在であるので、重りを適宜、交換することによって、所要のタッチ重さを得ることができる。
【００３０】
また、重り１０を長孔２ａへの挿入によって取り付けるので、従来のかしめによる場合と異なり、重り１０に柔軟性や延性は要求されず、したがって、例示した鋼製のものを含めて、重り１０の材料として鉛以外の材料を広く採用することができる。さらに、重り１０が単純な円柱状状を有しているので、これを特別に作製する必要がなく、それにより、製造コストを削減することができる。
【００３１】
また、長孔２ａが鍵本体２の側面２ｂ、２ｂ間に貫通し、長孔２ａの底面は塞がれているので、押鍵時の衝撃などによって重り１０が下方にずれたり脱落したりするおそれがなく、重り１０を長孔２ａ内に安定して保持することができる。また、長孔２ａが鍵本体２の両側面２ｂ、２ｂに開放するように形成されるので、その加工が容易であるとともに、鍵本体２の左右のいずれの側からも長孔２ａにアクセスでき、重り１０の着脱を容易に行うことができる。
【００３２】
さらに、重り１０が長さの異なる３種類の重り１０Ａ〜１０Ｃで構成されるとともに、これらの重り１０Ａ〜１０Ｃの各々を、それと組をなすコイルばね１１Ａ〜１１Ｃによって取り付ける。したがって、重り１０Ａ〜１０Ｃの中から、適当な重さを有する１つを選択し、鍵本体２に取り付けるとともに、必要に応じて他の種類の重り１０と交換することによって、所要のタッチ重さを容易に得ることができる。
【００３３】
図５は、重りの変形例を示している。この変形例では、重りは円柱状の２つの重り２０、２０で構成されている。これらの重り２０、２０は、各一端部にコイルばね２１が嵌められるとともに、反対側の端部を互いに突き合わせた状態で、鍵本体２の長孔２ａに挿入され、取り付けられる。したがって、この変形例によっても、実施形態による前述した効果を同様に得ることができる。また、この変形例によれば、例えば、重り２０として、互いにサイズが同じで比重の異なる複数種類（例えば３種類）の重りを用意し、それらを組み合わせることによって、２つの重り２０、２０の重さの和を多段階（例えば３×３＝９段階）に設定でき、それにより、タッチ重さをよりきめ細かく調整することができる。
【００３４】
なお、本発明は、説明した実施形態に限定されることなく、種々の態様で実施することができる。例えば、実施形態では、重り１０およびコイルばね１１をそれぞれ３種類で構成したが、その種類を増やしてもよく、それにより、黒鍵１のタッチ重さをよりきめ細かく調整することができる。
【００３５】
また、実施形態では、重さが異なる複数種類の重り１０を得るために、その長さを変えているが、重り１０のサイズを同じにし、比重を変えるようにしてもよい。さらに、実施形態では、重り１０を取り付けるための長溝を、両側面２ｂ、２ｂ間を貫通する長孔２ａで構成したが、一方の側面２ｂにのみ開放する凹部（めくら孔）で構成してもよいことはもちろんである。その他、本発明の趣旨の範囲内で、細部の構成を適宜、変更することが可能である。
【００３６】
また、実施形態は黒鍵の例であるが、重り１０を白鍵（図示せず）にも同様に取り付けることができる。さらに、実施形態は、本発明をグランドピアノに適用した例であるが、本発明は、アップライトピアノや電子ピアノの鍵などに広く適用することが可能である。
【図面の簡単な説明】
【００３７】
【図１】本発明を適用したグランドピアノの黒鍵を示す斜視図である。
【図２】黒鍵の前部を示す部分側面図である。
【図３】重りおよびコイルばねを示す図である。
【図４】複数種類の重りおよびコイルばねを示す図である。
【図５】変形例を示す、図２と同様の部分側面図である。
【符号の説明】
【００３８】
１    黒鍵
２    鍵本体
２ａ  長孔（長溝）
２ｂ  鍵本体の側面
１０（１０Ａ〜１０Ｃ）  重り
１１（１１Ａ〜１１Ｃ）  コイルばね
２０  重り
２１  コイルばね
【図１】
2007232781.tif 000003
【図２】
2007232781.tif 000004
【図３】
2007232781.tif 000005
【図４】
2007232781.tif 000006
【図５】
2007232781.tif 000007